(57)【要約】【解決手段】剣道用面１において、内輪１０の内周面１０ａと面布団９の裏面９ａと天１１の裏面１１ａと地１２の裏面１２ａと裏顎体１４の裏面１４ａとに光触媒を塗布している。剣道用甲手において、甲手肘の裏面と甲手頭の手の内の外面と甲手頭の袋部内にある手の背の内面と甲手頭の袋部内にある手の内の内面とに光触媒を塗布している。剣道用胴において、胸体の裏面に光触媒を塗布している。剣道用垂において、帯の裏面に光触媒を塗布している。剣道上衣の裏面または剣道用袴の裏面に光触媒を塗布している。【効果】剣道用面１や剣道用甲手や剣道用胴や剣道用垂である剣道用具と、剣道上衣や剣道用袴である剣道用衣において、防臭効果と抗菌効果とを高めることができる。【選択図】図１
0003108970.tif 000002
【実用新案登録請求の範囲】
【請求項１】
面金と、面金の裏側で面渕の外周に巻かれて面渕の左右両側から垂れ下がる面布団と、面布団の内側で面渕に沿って巻かれた内輪と、面金の裏側上部で内輪の内側にある天と、面金の裏側下部で内輪の内側にある地と、面金の下側で左右の面布団間にある表顎体と、面金の下側で表顎体の裏側に面して左右の面布団間にある裏顎体とを備えた剣道用面において、装着時に人体の顔の外周に面する内輪の内周面に光触媒を塗布したことを特徴とする剣道用面。
【請求項２】
面金と、面金の裏側で面渕の外周に巻かれて面渕の左右両側から垂れ下がる面布団と、面布団の内側で面渕に沿って巻かれた内輪と、面金の裏側上部で内輪の内側にある天と、面金の裏側下部で内輪の内側にある地と、面金の下側で左右の面布団間にある表顎体と、面金の下側で表顎体の裏側に面して左右の面布団間にある裏顎体とを備えた剣道用面において、装着時に人体の肩に面する面布団の裏面に光触媒を塗布したことを特徴とする剣道用面。
【請求項３】
面金と、面金の裏側で面渕の外周に巻かれて面渕の左右両側から垂れ下がる面布団と、面布団の内側で面渕に沿って巻かれた内輪と、面金の裏側上部で内輪の内側にある天と、面金の裏側下部で内輪の内側にある地と、面金の下側で左右の面布団間にある表顎体と、面金の下側で表顎体の裏側に面して左右の面布団間にある裏顎体とを備えた剣道用面において、装着時に人体の顔の額に面する天の裏面と、装着時に人体の顔の顎に面する地の裏面と、装着時に人体の顔の顎に面する裏顎体の裏面とのうち、いずれかの面に光触媒を塗布したことを特徴とする剣道用面。
【請求項４】
人体の手を入れる袋部を手の背と手の内との間で設けた甲手頭と、甲手頭の手の背から延びて裏側で紐により結ばれる甲手肘とを備えた剣道用甲手において、装着時に人体の肘が面する甲手肘の裏面に光触媒を塗布したことを特徴とする剣道用甲手。
【請求項５】
人体の手を入れる袋部を手の背と手の内との間で設けた甲手頭と、甲手頭の手の背から延びて裏側で紐により結ばれる甲手肘とを備えた剣道用甲手において、甲手頭の手の内の外面と、甲手頭の袋部内で手の背の内面と、甲手頭の袋部内で手の内の内面とのうち、いずれかの面に光触媒を塗布したことを特徴とする剣道用甲手。
【請求項６】
胴台と胸体とを備えた剣道用胴において、装着時に人体の胸に面する胸体の裏面に光触媒を塗布したことを特徴とする剣道用胴。
【請求項７】
帯と、帯から垂れ下がる大垂及び小垂とを備えた剣道用垂において、装着時に人体の腰に面する帯の裏面に光触媒を塗布したことを特徴とする剣道用垂。
【請求項８】
装着時に人体に面する剣道用上衣の裏面または剣道用袴の裏面に光触媒を塗布したことを特徴とする剣道用衣。
【考案の詳細な説明】
【技術分野】
【０００１】
本考案は、面や甲手や胴や垂である剣道用具と、上衣や袴である剣道用衣とに関するものである。
【背景技術】
【０００２】
従来、上記の剣道用具や剣道用衣では、装着時に人体に面する裏側や内側で汗が溜まり易くなり、その汗により細菌が発生して悪臭の原因になっていた。
【考案の開示】
【考案が解決しようとする課題】
【０００３】
しかし、従来、これらの剣道用具や剣道用衣では、細菌による悪臭の発生を抑える手段が充分に施されていない。
この考案は、防臭効果と抗菌効果とを高める剣道用具及び剣道用衣を提供することを目的としている。
【課題を解決するための手段】
【０００４】
後記実施形態の図面（図１〜６）の符号を援用して本考案を説明する。
図１に示す剣道用面（１）において、請求項１の考案では装着時に人体の顔の外周に面する内輪（１０）の内周面（１０ａ）に光触媒を塗布し、請求項２の考案では装着時に人体の肩に面する面布団（９）の裏面（９ａ）に光触媒を塗布し、請求項３の考案では装着時に人体の顔の額に面する天（１１）の裏面（１１ａ）と装着時に人体の顔の顎に面する地（１２）の裏面（１２ａ）と装着時に人体の顔の顎に面する裏顎体（１４）の裏面（１４ａ）とのうちいずれかの面（１１ａ，１２ａ，１４ａ）に光触媒を塗布している。請求項１〜３の考案では、剣道用面（１）において、内輪（１０）の内周面（１０ａ）と、面布団（９）の裏面（９ａ）と、天（１１）の裏面（１１ａ）と、地（１２）の裏面（１２ａ）と、裏顎体（１４）の裏面（１４ａ）とで、光触媒による防臭作用と抗菌作用とを発揮する。
【０００５】
図２に示する剣道用甲手（２）において、請求項４の考案では装着時に人体の肘が面する甲手肘（１６）の裏面（１６ａ）に光触媒を塗布し、請求項５の考案では甲手頭（１５）の手の内（１８）の外面（１８ｂ）と、甲手頭（１５）の袋部（１９）内にある手の背（１７）の内面（１７ａ）と、甲手頭（１５）の袋部（１９）内にある手の内（１８）の内面（１８ａ）とのうち、いずれかの面（１７ａ，１８ａ，１８ｂ）に光触媒を塗布している。請求項４〜５の考案では、剣道用甲手（２）において、甲手肘（１６）の裏面（１６ａ）と、甲手頭（１５）の手の内（１８）の外面（１８ｂ）と、甲手頭（１５）の手の背（１７）の内面（１７ａ）と、甲手頭（１５）の手の内（１８）の内面（１８ａ）とで、光触媒による防臭作用と抗菌作用とを発揮する。
【０００６】
図３に示す剣道用胴（３）において、請求項６の考案では、装着時に人体の胸に面する胸体（２２）の裏面（２２ａ）に光触媒を塗布している。請求項６の考案においては、剣道用胴（３）の胸体（２２）の裏面（２２ａ）で、光触媒による防臭作用と抗菌作用とを発揮する。
【０００７】
図４に示す剣道用垂（４）において、請求項７の考案では、装着時に人体の腰に面する帯（２３）の裏面（２３ａ）に光触媒を塗布している。請求項７の考案においては、剣道用垂（４）の帯（２３）の裏面（２３ａ）で、光触媒による防臭作用と抗菌作用とを発揮する。
【０００８】
図５に示す剣道用衣において、請求項８の考案では、装着時に人体に面する剣道上衣（５）の裏面（５ａ）または剣道用袴（６）の裏面（６ａ）に光触媒を塗布している。請求項８の考案においては、剣道上衣（５）の裏面（５ａ）と、剣道用袴（６）の裏面（６ａ）とで、光触媒による防臭作用と抗菌作用とを発揮する。
【考案の効果】
【０００９】
本考案は、剣道用面（１）や剣道用甲手（２）や剣道用胴（３）や剣道用垂（４）である剣道用具と、剣道上衣（５）や剣道用袴（６）である剣道用衣において、防臭効果と抗菌効果とを高めることができる。
【考案を実施するための最良の形態】
【００１０】
以下、本考案の一実施形態に係る剣道用具及び剣道用衣について図面を参照して説明する。
剣道用具は、図１に示す剣道用面１と、図２に示す左右一対の剣道用甲手２と、図３に示す剣道用胴３と、図４に示す剣道用垂４とを備えている。また、剣道用衣は、図５（ａ）に示す剣道用上衣５と、図５（ｂ）に示す剣道用袴６とを備えている。
【００１１】
前記剣道用面１は、環状の面渕７の内側に取着された面金８と、この面金８の裏側で面渕７の外周に巻かれて面渕７の左右両側から垂れ下がる面布団９と、この面布団９の内側で面渕７に沿って巻かれた内輪１０と、この面金８の裏側上部で内輪１０の内側にある天１１と、この面金８の裏側下部で内輪１０の内側にある地１２と、この面金８の下側で左右の面布団９間にある表顎体１３と、この面金８の下側で表顎体１３の裏側に面して左右の面布団９間にある裏顎体１４とを備えている。前記内輪１０は綿をポリエステル等の合成樹脂により覆ったものであり、装着時に人体の顔の外周に面する環状の内周面１０ａ（ポリエステル材）のうち全部または一部に光触媒が塗布されている。前記面布団９は綿やフェルトを二重の木綿で覆ったものであり、装着時に人体の肩に面する裏面９ａ（木綿材）のうち全部または一部に光触媒が塗布されている。なお、この面布団９の表側の一部には皮が貼られている。前記天１１で装着時に人体の顔の額に面するの裏面１１ａ（ポリエステル材）と、前記地１２で装着時に人体の顔の顎に面する裏面１２ａ（ポリエステル材）と、前記裏顎体１４で装着時に人体の顔の顎に面する裏面１４ａ（ポリエステル材）とには、それぞれ、それらの全部または一部で光触媒が塗布されている。
【００１２】
前記光触媒とは、光（主に紫外線）が照射されることにより他の物質の仲立ちとなって反応速度を早める作用を持つ物質である。一般的に、分解作用を持たせた二酸化チタンの複合材を光触媒と呼んでいる。光触媒としての酸化チタンは、光を浴びることにより、その周囲にＯＨラジカルやスーパーオキサイドアニオン（マイナス電位を持った酸素）と呼ばれる活性酸素を発生させる。その活性酸素が臭いや汚れや有害物質の分子構造を分解（酸化）することにより、水や二酸化炭素等の無害な物に変化させる。
【００１３】
前記剣道用甲手２は甲手頭１５と甲手肘１６とを備えている。この甲手頭１５においては、皮からなる手の背１７と手の内１８との間で袋部１９が設けられている。装着時に手をこの袋部１９内に入れた際、手の背側に面する手の背１７の内面１７ａ（皮）と、手の平に面する手の内１８の内面１８ａ（皮）と、その手の内１８の外面１８ｂ（皮）とに、それぞれ、それらの全部または一部で前記光触媒が塗布されている。この甲手肘１６は甲手頭１５の手の背１７から延び、裏側でこの甲手肘１６の左右両端縁部が紐２０により互いに結ばれている。なお、この甲手肘１６の表側の一部に皮が貼られている。この甲手肘１６の裏面１６ａは木綿で覆われ、その裏面１６ａ（木綿）のうち全部または一部に前記光触媒が塗布されている。
【００１４】
前記剣道用胴３は胴台２１と胸体２２とを備えている。この胸体２２は皮からなり、装着時に人体の胸に面する胸体２２の裏面２２ａ（皮）のうち全部または一部に前記光触媒が塗布されている。
【００１５】
前記剣道用垂４は、帯２３と、帯２３から垂れ下がる大垂２４及び小垂２５とを備えている。この帯２３で装着時に人体の腰に面する裏面２３ａ（木綿）のうち全部または一部に前記光触媒が塗布されている。
【００１６】
前記剣道用上衣５及び剣道用袴６は木綿からなり、装着時に人体に面する裏面５ａ，６ａ（木綿）のうち全部または一部に前記光触媒が塗布されている。
【図面の簡単な説明】
【００１７】
【図１】（ａ）は本実施形態に係る剣道用面の表側を示す正面図であり、（ｂ）は同じく裏側を示す背面図である。
【図２】（ａ）は本実施形態に係る剣道用甲手の表側を示す正面図であり、（ｂ）は同じく裏側を示す背面図である。
【図３】（ａ）は本実施形態に係る剣道用胴の表側を示す正面図であり、（ｂ）は同じく裏側を示す背面図である。
【図４】（ａ）は本実施形態に係る剣道用垂の表側を示す正面図であり、（ｂ）は同じく裏側を示す背面図である。
【図５】（ａ）は本実施形態に係る剣道用上衣を示す正面図であり、（ａ）は本実施形態に係る剣道用袴を示す正面図である。
【符号の説明】
【００１８】
１…剣道用面、２…剣道用甲手、３…剣道用胴、４…剣道用垂、５…剣道用上衣、６…剣道用袴、７…面渕、８…面金、９…面布団、９ａ…裏面、１０…内輪、１０ａ…内周面、１１…天、１１ａ…裏面、１２…地、１２ａ…裏面、１３…表顎体、１４…裏顎体、１４ａ…裏面、１５…甲手頭、１６…甲手肘、１６ａ…裏面、１７…手の背、１７ａ…内面、１８…手の内、１８ａ…内面、１８ｂ…外面、１９…袋部、２１…胴台、２２…胸体、２２ａ…裏面、２３…帯、２３ａ…裏面、２４…大垂、２５…小垂。
【図１】
0003108970.tif 000003
【図２】
0003108970.tif 000004
【図３】
0003108970.tif 000005
【図４】
0003108970.tif 000006
【図５】
0003108970.tif 000007